(57)【要約】【課題】回転する放熱ファン上に発光体を配列してその点滅により図柄、文字などを表示するファンの導電構造の改良。【解決手段】  台座１１、固定子セット１７、フィン１９２を備えたファンからなり、  フィン上の発光部品２１１を配列した第二サーキットボード２１に対して、固定子セットの第１、第２リード１８１，１８２から第１、第２ベアリング1５，１６を経て、それぞれ第２サーキットボードの第1、第２接点２１２、２１３に通電し、該発光部品を発光する。【選択図】  図3
0003130584.tif 000002
【実用新案登録請求の範囲】
【請求項１】
放熱ファンなどの回転ファンに発光体を配列し、回転に合わせて点滅させて残像効果によって図柄や文字などを発光表示するファンにおいて、
台座、固定子セット、ファンからなり、
該台座は、中心に軸筒を設けると共に、該軸筒の内に弾性部品及び互いに接触しない第一ベアリングと第二ベアリングを設けて、該弾性部品を第一ベアリングと接触させて配置し、
該固定子セットは、軸筒内に嵌めて収容し、また第一サーキットボードを備えて、該第一サーキットボードは第一リード線及び第二リード線を備えて、それぞれ前記の第一、第二ベアリングと連結し、
該ファンは、中心に本体を備えて該本体の回りに複数のフィンを設置し、
該本体に中心軸を設けて、該弾性部品及び該第一、第二ベアリングを貫通して回転可能に支持し、
該中心軸の該弾性部品及び第一ベアリングと対応する箇所に絶縁部を設け、少なくとも一枚のフィンに発光部品を配列した第二サーキットボードを配置すると共に該第二サーキットボードの他端の片面側は該弾性部品と接し、別面側は該中心軸と接触してそれぞれ固定子セットの第一サーキットボードから、第一、第二ベアリングを経て通電されるようにした、
ことを特徴とする発光図形を表示する放熱ファンの導電構造。
【請求項２】
該中心軸は、該弾性部品及び該第一、第二ベアリングを通した後、中心軸の末端を固定部品で固定することを特徴とする請求項1記載の発光図形を表示する放熱ファンの通電構造。
【請求項３】
該第二サーキットボードは、本体の内側、または外側で結合することを特徴とする請求項1記載の発光図形を表示する放熱ファンの通電構造。
【請求項４】
該第二サーキットボードの別側に第一電極接触部を設け、該中心軸と接触することを特徴とする請求項1記載の発光図形を表示する放熱ファンの通電構造。
【請求項５】
該第二サーキットボードに第二電極接触部を設け、該弾性部品と接触することを特徴とする請求項1記載の発光図形を表示する放熱ファンの通電構造。
【請求項６】
該第一リード線は、正負極側のいずれか一つと連結し、第二リード線は第一リード線の連結しない極と連結することを特徴とする請求項1記載の発光図形を表示する放熱ファンの通電構造。
【請求項７】
放熱ファンなどの回転ファンに発光体を配列し、回転に合わせて点滅させて残像効果によって図柄や文字などを発光表示するファンにおいて、
台座、固定子セット、ファンからなり、
該台座は、中心に軸筒を設けると共に、該軸筒の内に弾性部品及び互いに接触しない第一ベアリングと第二ベアリングを設けて、該弾性部品を第一ベアリングと接触させて配置し、
該固定子セットは、軸筒内に嵌めて収容し、またコイルに対する絶縁体及び第一サーキットボードを備え、該第一サーキットボードは第一リード線及び第二リード線を備えて、該絶縁体に絶縁通路を設けて第一、第二リード線のうち一本を通してそれぞれ前記の第一、第二ベアリングと連結し、
該ファンは、中心に本体を備えて該本体の回りに複数のフィンを設置し、
該本体に中心軸を設けて、該弾性部品及び該第一、第二ベアリングを貫通して回転可能に支持し、
該中心軸の該弾性部品及び第一ベアリングと対応する箇所に絶縁部を設け、少なくとも一枚のフィンに発光部品を配列した第二サーキットボードを配置すると共に該第二サーキットボードの他端の片面側は該弾性部品と接し、別面側は該中心軸と接触してそれぞれ固定子セットの第一サーキットボードから、第一、第二ベアリングを経て通電されるようにした、
ことを特徴とする発光図形を表示する放熱ファンの導電構造。
【請求項８】
該中心軸を該弾性部品及び該第一、第二ベアリングを通した後、中心軸の末端を固定部品で固定することを特徴とする請求項7記載の発光図形を表示する放熱ファンの通電構造。
【請求項９】
該第二サーキットボードは、本体の内側或いは外側で結合することを特徴とする請求項7記載の発光図形を表示する放熱ファンの通電構造。
【請求項１０】
該第二サーキットボードの別側に第一電極接触部を設け、該中心軸と接触することを特徴とする請求項7記載の発光図形を表示する放熱ファンの通電構造。
【請求項１１】
該第二サーキットボードに第二電極接触部を設け、該弾性部品と接触することを特徴とする請求項7記載の発光図形を表示する放熱ファンの通電構造。
【請求項１２】
該第一リード線は正負極側のいずれか一つと連結し、第二リード線は第一リード線の連結しない極と連結することを特徴とする請求項7記載の発光図形を表示する放熱ファンの通電構造。
【請求項１３】
該第一、第二リード線のうち一本に絶縁保護体を被せ、固定子セットの絶縁体の上を渡らせて設置することを特徴とする請求項1或いは請求項7記載の発光図形を表示する放熱ファンの通電構造。
【考案の詳細な説明】
【技術分野】
【０００１】
本考案は、発光図形を表示する放熱ファン導電の改良構造に関する。特にフィンに発光部品を具有するサーキットボードを結合した導電構造である。
【背景技術】
【０００２】
従来技術の発光図形を表示する放熱ファンは、複数の発光部品を配列した軟質なサーキットボードをフィンに設置し、ファンの回転に合わせてサーキットボード上に配列された発光部品の点滅発光をコントロールして、フィンが回転合わせて点滅することにより、人間の視覚の残像効果によって図案或いは文字が見えるようにする。
【０００３】
公知の実用新案第M286561号の『発光図形表示の放熱ファン導電装置』では、ファンのフィンに発光部品を配列する軟質サーキットボードを結合し、該ファンに磁石と中心軸を設け、該中心軸にコイルを設置する。その特徴は、中心軸に一つの外管と、該外管の内部に内軸を設置し、該内軸の長さは外管より長く、内軸と外管の間に絶縁体を設ける。該中心軸の一端の内軸と外管を前記の軟質サーキットボートを電極で連結する。前記コイルの内部に二つのベアリングを設置し、一つのベアリングは前記の外管に、もう一つのベアリングは前記の内軸に対応し、正負導線をそれぞれ二つのベアリングと連結し、正負の電気を該外管及び内軸を伝って、該軟質サーキットボードに伝導し、該発光部品を発光させる。
【０００４】
前記中心軸は、内軸の表面に絶縁体を形成し、外管を該絶縁体の外周に嵌めるため、製造時に、該仕組みの製造過程は煩雑且つ時間がかかり、製造コストを増やすほか、時間が経つと、該外管と内軸に密着度が落ち、ファンが作動する際に激しく揺れる問題が生じるため、改善する必要があった。
【特許文献１】特開２００３−３６０４７号公報
【特許文献２】特開平４−６５８６号公報
【考案の開示】
【考案が解決しようとする課題】
【０００５】
前記公知構造の欠点を解決するため、本考案の第1の目的は、弾性部品及び中心軸を通じて、それぞれに正負極の電気をフィンに結合した発光部品を具有する第二サーキットボードに伝達し、ファンの回転に影響を及ぼさない発光図形を表示する放熱ファンの通電構造を提供することにある。
【０００６】
本考案の第2の目的は、中心軸を一体化した単一構造を提供し、製造手順及びコストを抑え、且つファンの回転回数及び速度を確実に上げる発光図形を表示する放熱ファンの通電構造を提供することにある。
【課題を解決するための手段】
【０００７】
前記の目的を解決するために、本考案は発光図形を表示する放熱ファンの通電構造を提供するものである。台座と固定子セット、ファンを含み、台座に軸筒を設置し、該軸筒の内部に弾性部品及び相互に接触しない少なくとも第一ベアリング、第二ベアリングを設け、該弾性部品は該第一ベアリングと接触する。固定子セットを前記軸筒に嵌め、第一サーキットボードを具有し、該第一サーキットボードに第一リード線及び第二リード線をそれぞれ前記の第一、第二ベアリングと連結する。ファンに少なくとも一つの本体及び該本体の周囲に設けた複数のフィンを具有し、該本体に中心軸を設け、該弾性部品及び該第一、第二ベアリングを貫通する。且つ該中心軸の該弾性部品及び第一ベアリングに対応する場所に絶縁体を設け、少なくとも一枚のフィンに発光部品を具有する第二サーキットボードを設置する。且つ該第二サーキットボードの片側は接触する該弾性部品と対応し、もう片側は該中心軸と接触する。
【考案の効果】
【０００８】
前記の構造はファンの回転に影響を及ぼさないほか、本考案の中心軸は一体化の単一構造であり、確実にファンの回転速度を反応し、従来技術の外管と内軸が離脱する欠点を改善し、製造過程及びコストを抑えられる効果がある。
【考案を実施するための最良の形態】
【０００９】
本考案による発光図形を表示する放熱ファンの通電構造を明確に示すために、図に沿って詳細な説明を行う。図1、2、3に示す様に、台座11は複数の支持フレーム12を介してファンの枠13内に設置するが、これの限りではない。台座11を放熱器或いは発熱部品(図に未掲載)上に設置しても良い。該台座11に中空状の軸筒111を設け、該軸筒111の内壁に凸部112を設け、更に弾性部品14(スプリングが良い。)及び第一ベアリング15を軸筒111の上方開口1111より挿入し、該第一ベアリング15を該凸部112の上方に設置する。また、第二ベアリング16を軸筒111の下方開口1112より挿入し、該凸部112の下方に設置し、第一第二ベアリング15、16は互いに接触しない。前記弾性部品14は該第一ベアリング15上に設置する。
【００１０】
図4が示すように、固定子セット17は絶縁体171を備え、該絶縁体171の中空柱1711を前記の軸筒111に嵌め、該絶縁体171の上に珪素鋼シート172を設ける。且つ珪素鋼シート172にコイル173を巻きつける。絶縁体171の下方に第一サーキットボード18を連結し、更に前記コイル173の両端をそれぞれ第一サーキットボード18と端子電極でつなぎ、且つ該第一サーキットボード18の第一リード線181及び第二リード線182をそれぞれ前記の第一、第二ベアリング15、16と連結する。
【００１１】
ファン19は、本体191及び該本体191の回りの複数のフィンからなる。該本体191の内側に磁石193及び中心軸194を設け、該中心軸194は順番に前記の弾性部品14及び第一、第二ベアリング15、16を貫通する。第一、第二ベアリング15、16は中心軸194を支える役割があり、更にそれらを貫通した後、中心軸の末端を固定部品20で固定して貫通した部品の離脱を防止する。且つ、該中心軸194が対応する該弾性部品14及び第一ベアリング15の箇所に絶縁部1941を設ける。発光部品211（LED或いはOLEDなどが好適）を配列した第二サーキットボード21を前記の少なくとも一枚のフィン192に取り付け、該第二サーキットボード21(硬性あるいは軟性のサーキットボードを応用するのが好ましい)は、本考案の最良形態では、該第二サーキットボード21は該本体191を貫通して本体191の内側で結合する。該第二サーキットボード21の片面側は該弾性部品14と接触し、別側は該中心軸194に接触するが、この限りではなく、本考案はこれらの実施例の例示に留まらず、該第二サーキットボード21は本体の外側で結合することも可能である(図に未掲載)。
【００１２】
前記第二サーキットボード21が該弾性部品14と接触する部分に第二電極の接点213を設け、且つ第二サーキットボード21の別側に第一電極の接点212を設け、該中心軸194に接触する。
【００１３】
前記中心軸194の絶縁部1941は、一実施例では、中心軸194の弾性部品14と第一ベアリング15に対応する箇所を、直径の比較的小さい軸1942とし、該ファンを射出成型する際に該中心軸194をファン19の金型内に配置して、、射出成型材料を該直径の比較的小さい軸1942の部分に形成して一体に射出成型する。
【００１４】
前記第一リード線181は、第一サーキットボード18の正負極のうちの一方と連結し(本考案の最良形態では、負極と連結する)、該第二リード線182は別の電極側と連結する(本考案の最良形態では正極と連結する)。且つ、第一、第二リード線181、182と第一サーキットボード18及びそれぞれ第一、第二ベアリング15、16との連結は、溶接により固定する。
【００１５】
上述の組み合わせにより、コイル173に通電し、磁石193を励磁してファン19を回転させ、同時に電流が流れ、正極側は第二リード線182と第二ベアリング16、中心軸194を通り、更に第一電極接触部212を通じて第二サーキットボード21に至り、該負極電気は第一リード線181、第一ベアリング15、弾性部品14を通り、更に第二サーキットボードの接触部213を通じて、第二サーキットボード21に至って、発光部品211を発光させる。
【００１６】
図5に示すのは、前記固定子セット17の他の実施例である。前記と異なる点は、該絶縁体171に絶縁通路1712を設け、第一、第二リード線181、182のうち一本を通らせ(本考案の最良形態では、第一リード線181を通している)、該第一リード線181とコイル173の間に電極干渉が起こるのを防止する。
【００１７】
また、絶縁体171上を経由する第一、第二リード線181、182の双方に絶縁保護体を被せて該第一リード線181或いは第二リード線182がコイル173との間の電極干渉が起こるのを防止し、加工しやすくする。
【００１８】
以上の二つの実施例による本考案の詳細な説明は本考案の範囲を制限するものではない。本考案の構想に基づく各種の方法や形、構造、装置の変化や応用など、同じ効果が生まれる場合は、全て本考案の権利範囲とする。
【図面の簡単な説明】
【００１９】
【図１】本考案の立体分解略図である。
【図２】本考案の断面分解略図である。
【図３】本考案の局部断面組立略図である。
【図４】本考案の固定子セットの立体略図である。
【図５】本考案の固定子セットの別の実施例の立体略図である。
【符号の説明】
【００２０】
11台座
111軸筒
1111上開口
1112下開口
112、凸部
12支持フレーム
13ファン枠
14弾性部品
15第一ベアリング
16第二ベアリング
17固定子セット
171絶縁体
1711中空柱
1712絶縁通路
172珪素鋼シート
173コイル
18第一サーキットボード
181第一リード線
182第二リード線
19  ファン
191本体
192フィン
193磁石
194中心軸
1941絶縁部
20固定部品
21第二サーキットボード
211発光部品
212第一電極接点
213第二電極接点
【図１】
0003130584.tif 000003
【図２】
0003130584.tif 000004
【図３】
0003130584.tif 000005
【図４】
0003130584.tif 000006
【図５】
0003130584.tif 000007